(57)【要約】【課題】作業者に依存することなく、同一な検査結果の得られる充填バルブのベントチューブ検査治具を提供する。【解決手段】充填バルブに設けられ、容器に挿入される管部３と、管部３に対して突出する鍔部４と、充填バルブに取り付けるための取付部５と、を有するベントチューブ２を検査する充填バルブのベントチューブ検査治具１であって、ベントチューブ検査治具１は筒状に形成され、一端側には、管部３及び鍔部４を挿入して、嵌め合わせの可否により管部３の歪みを検査する歪み検査部１１が設けられ、他端側には、取付部５を挿入して取付部５の軸線ＡＸ１方向の寸法を検査する寸法検査部１２が設けられている。【選択図】図１
2010143618.tif 000002
【特許請求の範囲】
【請求項１】
充填バルブに設けられ、容器に挿入される管部と、前記管部に対して突出する鍔部と、前記充填バルブに取り付けるための取付部と、を有するベントチューブを検査する充填バルブのベントチューブ検査治具であって、
前記ベントチューブ検査治具は筒状に形成され、一端側には、前記管部及び前記鍔部を挿入して、嵌め合わせの可否により前記管部の歪みを検査する歪み検査部が設けられ、他端側には、前記取付部を挿入して前記取付部の軸線方向の寸法を検査する寸法検査部が設けられていることを特徴とする充填バルブのベントチューブ検査治具。
【請求項２】
前記歪み検査部には、前記管部が嵌め合わされる管挿入部と、前記鍔部が嵌め合わされる鍔挿入部と、が設けられ、前記管挿入部及び前記鍔挿入部は、同軸に設けられて前記鍔部に対して前記管部がその軸線方向に延びる正常なベントチューブの管部及び鍔部が挿入可能に設けられていることを特徴する請求項１に記載のベントチューブ検査治具。
【請求項３】
前記寸法検査部には、前記寸法と同じ奥行を有する凹部が設けられていることを特徴とする請求項１又は２に記載のベントチューブ検査治具。
【発明の詳細な説明】
【技術分野】
【０００１】
本発明は、容器に飲料を充填する充填バルブに設けられたベントチューブの外形を検査する充填バルブのベントチューブ検査治具に関する。
【背景技術】
【０００２】
容器に飲料を充填する充填バルブには、ベントチューブが設けられ、容器内の空気を二酸化酸素ガスに置換しつつ、フィラーチャンバー内の圧力と容器内の圧力とのバランスにより飲料の充填が行われている。（例えば、特許文献１参照。）。この圧力バランスにより、容器に挿入されたベントチューブの先端まで飲料が充填される。このように、容器の充填量はベントチューブの先端位置により調整されているため、ベントチューブが曲がっていないか、あるいは、ベントチューブの寸法が規定内か否かを検査する必要がある。管を検査する治具として、例えば、管を挿入して管端部の曲がりを検査するゲージが知られている（特許文献２参照。）。
【０００３】
【特許文献１】特開２００５−３１３９２８号公報
【特許文献２】実開昭６１−７２６０７号公報
【発明の開示】
【発明が解決しようとする課題】
【０００４】
上述のゲージは管端部の曲がりを検査するものであり、ベントチューブの寸法やストレート性を検査することはできない。ベントチューブの検査には、作業者が個々に寸法を計測したりストレート性を判断したりしているため、作業者毎に誤差が生じ、検査結果がばらつくおそれがある。
【０００５】
そこで、本発明は作業者に依存することなく、同一な検査結果の得られる充填バルブのベントチューブ検査治具を提供することを目的とする。
【課題を解決するための手段】
【０００６】
本発明の充填バルブのベントチューブ検査治具は、充填バルブに設けられ、容器に挿入される管部（３）と、前記管部に対して突出する鍔部（４）と、前記充填バルブに取り付けるための取付部（５）と、を有するベントチューブ（２）を検査する充填バルブのベントチューブ検査治具（１）であって、前記ベントチューブ検査治具は筒状に形成され、一端側には、前記管部及び前記鍔部を挿入して、嵌め合わせの可否により前記管部の歪みを検査する歪み検査部（１１）が設けられ、他端側には、前記取付部を挿入して前記取付部の軸線（ＡＸ１）方向の寸法を検査する寸法検査部（１２）が設けられていることにより上記課題を解決する。
【０００７】
本発明の充填バルブのベントチューブ検査治具によれば、歪み検査部では管部及び鍔部を挿入することで、嵌め合わすことのできないベントチューブが不良のベントチューブとして判断される。寸法検査部では、取付部を挿入して取付部の寸法が規定内か否かが判断される。このように簡単な手順でベントチューブの検査をすることができ、この検査治具を用いることにより作業者によらずに同一の検査結果を得ることができる。また、ベントチューブの管部の歪みと取付部の寸法とがひとつの検査治具で検査できるので、取り扱いも簡便となる。
【０００８】
本発明のベントチューブ検査治具の一形態において、前記歪み検査部には、前記管部が嵌め合わされる管挿入部（１３）と、前記鍔部が嵌め合わされる鍔挿入部（１４）と、が設けられ、前記管挿入部及び前記鍔挿入部は、同軸に設けられて前記鍔部に対して前記管部がその軸線（ＡＸ１）方向に延びる正常なベントチューブの管部及び鍔部が挿入可能に設けられていてもよい。この形態によれば、管部が歪んだベントチューブを管挿入部に挿入すると、管挿入部への挿入途中で挿入できなくなるか、あるいは、鍔挿入部に鍔部が引っ掛かって、管部及び鍔部を歪み検査部に嵌め合わせることができない。簡易な構成で作製することができ、歪み検査部に管部及び鍔部を挿入するだけで管部の歪みを検査することができる。
【０００９】
本発明のベントチューブ検査治具の一形態において、前記寸法検査部には、前記寸法と同じ奥行を有する凹部（１５）が設けられていてもよい。この形態によれば、凹部に取付部を挿入すると、正常なベントチューブであれば、凹部の端部と取付部の端部とが同一平面上に位置することになる。異常があれば、凹部の端部に対して取付部の端部にずれが生じるので、簡単に取付部の寸法が規定内か否かを判断することができる。
【００１０】
なお、以上の説明では本発明の理解を容易にするために添付図面の参照符号を括弧書きにて付記したが、それにより本発明が図示の形態に限定されるものではない。
【発明の効果】
【００１１】
以上、説明したように、本発明の充填バルブのベントチューブ検査治具においては、歪み検査部では管部及び鍔部を挿入することで、嵌め合わすことのできないベントチューブが不良のベントチューブとして判断される。寸法検査部では、取付部を挿入して取付部の寸法が規定内か否かが判断される。このように簡単な手順でベントチューブの検査をすることができ、この検査治具を用いることにより作業者によらずに同一の検査結果を得ることができる。また、ベントチューブの管部の歪みと取付部の寸法とがひとつの検査治具で検査できるので、取り扱いも簡便となる。
【発明を実施するための最良の形態】
【００１２】
図１に本発明の一形態に係る充填バルブのベントチューブ検査治具の断面図を示し、図２にベントチューブの正面図を示す。ベントチューブ検査治具１は、ベントチューブ２の外形を検査する治具である。ベントチューブ２は、容器に飲料を充填する充填装置に設けられる充填バルブを構成する一部材で、容器に挿入して容器内の空気を二酸化炭素ガス等からなる置換ガスと置換するための管である。ベントチューブ２は、容器に挿入される管部３と、管部３に対して突出する鍔部４と、充填バルブに取り付けられる取付部５とを備えている。ベントチューブ２の軸線ＡＸ１に対して管部３が曲がっていると、管部３の先端位置の高さが変化して容器への充填量が変動し、また、取付部５の寸法が規定外となっても管部３の先端位置の高さが変わるため同様に容器への充填量が変動することになる。
【００１３】
管部３は、所定の外径ｄ１を有するストレート管状で、その先端部３ａが容器に挿入される。飲料の充填は、充填装置に設けられるフィラーチャンバー内の圧力と容器内の圧力とのバランスにより行われ、この圧力バランスにより先端部３ａが位置する高さまで容器内に飲料が充填されることになる。鍔部４は、管部３と取付部５との間に設けられ、ベントチューブ２の軸線ＡＸ１と垂直な方向に広がる鍔４ａを有する。鍔部４は、一部を欠いた円形に広がる。なお、鍔部４は単に円形に広がっていてもよい。取り付けられる充填バルブにより、形状は適宜変更される。取付部５の形状も取り付けられる充填バルブによる。本形態では、取付部５は、軸線ＡＸ１と同軸に設けられ、外径ｄ３を有する円筒形状で、その側面の両端が管部３の外径ｄ１の幅で平行にカットされている。ベントチューブ２には、置換ガスが流れる流路６が軸線ＡＸ１に沿って管部３の先端部３ａと取付部５の上端とを結ぶように形成される。管部３、鍔部４及び取付部５は、互いに同軸に設けられている。
【００１４】
ベントチューブ検査治具１は、筒状で、その一端側には、管部３及び鍔部４を挿入して嵌め合わせの可否によりベントチューブ２の管部３の歪みを検査する歪み検査部１１が設けられ、他端側には、取付部５を挿入して取付部５の軸線ＡＸ１の方向の寸法ｈ１を検査する寸法検査部１２が設けられている。歪み検査部１１は、管部３の外径ｄ１よりも若干大きい内径ｄ４を有する管挿入部１３と、その外側、つまり端部側に鍔部４の外径ｄ２よりも若干大きい内径ｄ５を有する鍔挿入部１４とを備えている。歪み検査部１１の内径ｄ４と管部３の外径ｄ１との差として、管挿入部１３に管部３が嵌め合い可能な程度の隙間が設けられていればよい。内径ｄ５と鍔部４の外径ｄ２との関係も同様である。この隙間は、管部３に要求されるストレート性に応じて設定してよい。
【００１５】
寸法検査部１２は、取付部５の外径ｄ３よりも若干大きい内径ｄ６を有し、かつ取付部５の軸線ＡＸ１方向の寸法ｈ１と同一の長さを有する奥行ｈ２を有する円筒形状に凹んだ凹部１５を備えている。寸法検査部１２の内径ｄ６と取付部５の外径ｄ３との差として、凹部１５に取付部５が抜き差し可能な程度の隙間が設けられていればよい。管挿入部１３、鍔挿入部１４及び凹部１５は、ベントチューブ検査治具１の軸線ＡＸ２に対して同軸に設けられている。管挿入部１３は、凹部１５に対して貫通していてもよい。ベントチューブ検査治具１は、金属や樹脂等の材質で、一体的に形成される。なお、管挿入部１３、鍔挿入部１４及び凹部１５は、挿入されるベントチューブ２の形状に応じた嵌め合い可能な形状にしてよい。
【００１６】
ベントチューブ検査治具１の検査方法を説明する。ベントチューブ２の歪みの検査には、歪み検査部１１が用いられる。ベントチューブ２の管部３の先端部３ａを鍔挿入部１４を介して管挿入部１３に挿入し、鍔挿入部１４の底面１４ａと鍔部４の鍔４ａが接触するまで挿入された場合、正常な管部３を有するベントチューブ２として判断する。一方、図３に示すように、軸線ＡＸ１に対して管部３の軸線が歪んだベントチューブ２ａは、歪み検査部１１に挿入すると鍔挿入部１４で鍔部４が引っ掛かり底面１４ａまで鍔部４を挿入することができない。あるいは、管挿入部１３の途中で管部３が挿入できなくなる。このように、歪み検査部１１に管部３を挿入して、鍔挿入部１４の底面１４ａまで鍔部４を挿入できない場合、不良のベントチューブ２として判断する。管部３は曲がっていなくても鍔部４に対して曲がっており、図３のように軸線ＡＸ１に対して管部３の軸線がずれているようなベントチューブ２についても本発明のベントチューブ検査治具１にて不良として判断することができる。
【００１７】
ベントチューブ２の取付部５の寸法検査には、寸法検査部１２が用いられる。取付部５を凹部１５に挿入して、取付部５の下面５ａと寸法検査部１２の端部１２ａとが、同一平面上にある場合、正常な取付部５を有するベントチューブ２として判断する。一方、取付部５を挿入して、寸法検査部１２の端部１２ａよりも下面５ａが高かったり、低かったりすれば、不良のベントチューブ２として判断する。
【００１８】
本発明は、上述した形態に限定されることなく、種々の形態にて実施することができる。例えば、本形態では、取付部５の寸法ｈ１と凹部１５の奥行ｈ２とが同一の長さであるとして説明したがこれに限られない。例えば、凹部１５に目印を設けて取付部５の寸法ｈ１を判断してもよい。
【図面の簡単な説明】
【００１９】
【図１】本発明の一形態に係る充填バルブのベントチューブ検査治具の断面図。
【図２】ベントチューブの正面図。
【図３】管部が歪んだベントチューブの一例を示す図。
【符号の説明】
【００２０】
１  ベントチューブ検査治具
２  ベントチューブ
３  管部
４  鍔部
５  取付部
１１  歪み検査部
１２  寸法検査部
ＡＸ  軸線
【図１】
2010143618.tif 000003
【図２】
2010143618.tif 000004
【図３】
2010143618.tif 000005